(57)【特許請求の範囲】
【請求項１】
通信ネットワークを介して情報データ番組を配信する情報配信システムにおいて、
前記情報データ番組を構成する所定の情報データに任意の仕様のストリーミング技術を施して生成されたストリームを記憶するストリーム記憶手段と、前記ストリームの送出を制御するストリーム送出制御手段と、前記情報データ番組並びに前記情報データ番組のストリームに関するストリーム情報であって、前記通信ネットワークを介して接続する他の情報配信サーバの存在を示すネットワーク情報及び前記ストリーム記憶手段に記憶されているストリーム群から構成されるストリーム番組の情報を含む前記ストリーム情報を記憶するストリーム情報記憶手段と、前記ストリーム情報の送出を制御するストリーム情報送出制御手段と、を備えた情報配信サーバと、
必要に応じて前記情報配信サーバから前記ストリーム情報を取得して当該ストリーム情報に含まれる前記ネットワーク情報に基づいて前記他の情報配信サーバから他のストリーム情報を取得するストリーム情報取得手段と、取得した前記ストリーム情報及び前記他のストリーム情報を保存するとともに、必要に応じて前記ストリーム情報及び前記他のストリーム情報の内容を利用者に提示するストリーム情報処理手段と、前記ストリームを取得するストリーム取得手段と、取得した前記ストリームを再生するストリーム再生手段と、を備えた受信装置と、
を有することを特徴とする情報配信システム。
【請求項２】
前記ストリーム情報記憶手段に記憶される前記ストリーム情報は、前記ストリーム番組を構成する各ストリームの情報データの種別とストリーミング形式を含むストリームの技術的詳細情報を含むことを特徴とする請求項１記載の情報配信システム。
【請求項３】
前記受信装置の前記ストリーム再生手段は、前記ストリームの技術的詳細情報を参照し、取得した前記ストリームに合致した再生処理を選択して再生処理を行なうか、または再生不能であることを前記利用者に通知することを特徴とする請求項２記載の情報配信システム。
【請求項４】
前記受信装置の前記ストリーム情報取得手段は、さらに、前記ネットワーク情報に基づいて、前記他の情報配信サーバが保有する前記ストリーム情報を自動的に取得することを特徴とする請求項１記載の情報配信システム。
【請求項５】
前記ストリーム情報記憶手段に記憶される前記ストリーム情報は、さらに、前記情報データ番組のタイトルや内容を前記利用者に提示する番組紹介情報を有することを特徴とする請求項１記載の情報配信システム。
【請求項６】
前記受信装置の前記ストリーム情報処理手段は、さらに、予め登録された所定の条件に従って前記ストリーム情報の内容を提示する画面の構成を設定し、前記利用者に提示することを特徴とする請求項１記載の情報配信システム。
【請求項７】
前記ストリーム情報記憶手段に記憶される前記ストリーム情報は、前記通信ネットワークに接続する全ての前記情報配信サーバで共通の形式を有しており、前記ストリーム情報を構成するデータファイルは、予め決められた所定の規則に従った名称が付されることを特徴とする請求項１記載の情報配信システム。
【請求項８】
前記受信装置の前記ストリーム情報取得手段は、前記予め決められた所定の規則に従った名称に基づき、所望の前記データファイルを取得することを特徴とする請求項７記載の情報配信システム。
【請求項９】
前記通信ネットワークは、インターネットであることを特徴とする請求項１記載の情報配信システム。
【請求項１０】
通信ネットワークを介して情報データ番組を配信する情報配信システムの情報配信サーバにおいて、
前記情報データ番組を構成する所定の情報データに任意の仕様のストリーミング技術を施して生成されたストリームを記憶するストリーム記憶手段と、
前記ストリームの送出を制御するストリーム送出制御手段と、
前記情報データ番組並びに前記情報データ番組のストリームに関するストリーム情報であって、前記通信ネットワークを介して接続する他の情報配信サーバの存在を示し、受信装置により前記他の情報配信サーバから他のストリーム情報を取得するために用いられるネットワーク情報及び前記ストリーム記憶手段に記憶されているストリーム群から構成されるストリーム番組の情報を含む前記ストリーム情報を記憶するストリーム情報記憶手段と、
前記ストリーム情報の送出を制御するストリーム情報送出制御手段と、
を有することを特徴とする情報配信サーバ。
【請求項１１】
通信ネットワークを介して情報データ番組を配信する情報配信システムの受信装置において、
必要に応じて、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び自装置に記憶されているストリーム群から構成されるストリーム番組の情報を含む前記ストリーム情報と、を有する情報配信サーバから前記ストリーム情報を取得して当該ストリーム情報に含まれる前記ネットワーク情報に基づいて前記他の情報配信サーバから他のストリーム情報を取得するストリーム情報取得手段と、
取得した前記ストリーム情報及び前記他のストリーム情報を保存するとともに、必要に応じて前記ストリーム情報及び前記他のストリーム情報の内容を利用者に提示するストリーム情報処理手段と、
前記ストリームを取得するストリーム取得手段と、
取得した前記ストリームを再生するストリーム再生手段と、
を備えたことを特徴とする受信装置。
【請求項１２】
通信ネットワークを介して情報データ番組を配信する情報配信方法において、
情報データを再生する受信装置からの要求に応じて前記情報データを配信する情報配信サーバが、予め、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び前記情報配信サーバに記憶されているストリーム群から構成されるストリーム番組の情報を含む前記ストリーム情報と、を記憶し、
必要に応じて前記受信装置が前記ストリーム情報を要求し、
前記情報配信サーバが前記要求に応じて前記ストリーム情報を配信し、
前記受信装置が前記ストリーム情報を取得して当該ストリーム情報に含まれる前記ネットワーク情報に基づいて前記他の情報配信サーバから他のストリーム情報を取得し、取得した前記ストリーム情報及び前記他のストリーム情報を保存するとともに、必要に応じて前記ストリーム情報及び前記他のストリーム情報の内容を利用者に提示し、
前記受信装置が前記利用者の所望するストリームを前記所望のストリームを保有する情報配信サーバに対して要求し、
前記情報配信サーバが前記要求に応じて前記所望のストリームを配信し、
前記受信装置が前記所望のストリームを取得し、これを再生して前記利用者に提供する手順を有することを特徴とする情報配信方法。
【請求項１３】
通信ネットワークを介して情報データ番組を配信する情報配信システムの受信装置が前記情報データ番組に関する番組情報を利用者に提示する番組情報処理方法において、
前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び自装置に記憶されているストリーム群から構成されるストリーム番組の情報を含む前記ストリーム情報と、を有する情報配信サーバから、必要に応じて前記ストリーム情報を取得して当該ストリーム情報に含まれる前記ネットワーク情報に基づいて前記他の情報配信サーバから他のストリーム情報を取得し、
取得した前記ストリーム情報及び前記他のストリーム情報を保存するとともに、必要に応じて前記ストリーム情報及び前記他のストリーム情報の内容を前記利用者に提示する手順を有することを特徴とする番組情報処理方法。
【請求項１４】
前記ストリーム情報及び前記他のストリーム情報を取得する手順は、前記情報データ番組の構成に関する情報、前記情報データ番組のストリームについての情報データの種別とストリーミング形式を含むストリームの技術的詳細情報、及び前記情報データ番組の内容を紹介する番組紹介情報を取得する手順を含み、
前記ストリーム情報及び前記他のストリーム情報の内容を前記利用者に提示する手順は、取得した前記ストリーム情報及び前記他のストリーム情報に基づき、前記情報データ番組毎の技術的詳細及び内容の紹介が一覧できる番組表を構成し、前記番組表を前記利用者に提示する手順を含むことを特徴とする請求項１３記載の番組情報処理方法。
【請求項１５】
通信ネットワークを介して情報データ番組を配信する情報配信システムの受信装置が前記情報データ番組に関する番組情報を利用者に提示する番組情報処理をコンピュータに実行させるためのプログラムにおいて、
コンピュータに、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び自装置に記憶されているストリーム群から構成されるストリーム番組の情報を含む前記ストリーム情報と、を有する情報配信サーバから、必要に応じて前記ストリーム情報を取得して当該ストリーム情報に含まれる前記ネットワーク情報に基づいて前記他の情報配信サーバから他のストリーム情報を取得し、
取得した前記ストリーム情報及び前記他のストリーム情報を保存するとともに、必要に応じて前記ストリーム情報及び前記他のストリーム情報の内容を前記利用者に提示する手順を実行させるためのプログラム。
【発明の詳細な説明】
【０００１】
【発明の属する技術分野】
本発明は情報配信システム、情報配信サーバ、受信装置情報配信方法、及び番組情報処理方法に関し、特に通信ネットワークを介して情報データ番組を配信する情報配信システム、情報配信サーバ、受信装置情報配信方法、及び番組情報処理方法に関する。
【０００２】
【従来の技術】
現在、コンピュータネットワークを含む通信ネットワークは、その範囲、及び速度において急激な発展を遂げつつある。それにより、各種のいわゆるマルチメディアと呼ばれる情報を通信ネットワークで伝送する方法も普及しつつある。
【０００３】
このような情報配信システムにおいて、各家庭に設置されたコンピュータを通信ネットワークに接続するとともに、受信したストリームを復元するためのソフトウエアプログラムを導入することで情報を受信することが可能になっている。
【０００４】
一方、放送ネットワークにおいてもデジタル技術が普及し、デジタル圧縮技術を用いてデジタル化された映像並びに音声を送出するデジタル放送が実用化されている。
【０００５】
デジタル放送においては、受信者が容易に選局並びに番組内容の確認を行なえるように、ストリーム内に映像並びに音声パケット以外の選局用並びに番組情報伝達用パケットが挿入されている。セットトップボックスといわれる受信装置は、これらを利用して受信者に一貫性のある選局操作並びに番組情報提示を提供している。
【０００６】
【発明が解決しようとする課題】
しかし、通信ネットワークを介して映像並びに音声のストリームを配信する情報配信システムでは、ストリーム配信の規格が各社で異なるため、再生操作が煩雑になるという問題がある。
【０００７】
現在、インターネットで使用されている映像並びに音声のストリーム配信技術には、例えば、リアルネットワーク社のリアルビデオ、アップル社のクイックタイム等が存在する。しかしながら、これらはそのシステムを開発または販売している組織の独自規格であり、互換性はない。したがって、ストリームを配信しているサーバにおいては、使用しているストリーミング技術の方式を利用者に明示的に提示する必要がある。一方、再生側においては、複数の種類のストリームを閲覧する場合には各々の規格に合った再生装置を用意する必要がある等、再生操作が煩雑である。例えば、再生装置自身で再生できるストリームの所在一覧をインターネットより取得し、所在一覧に基づいて、再生可能なストリームを取得することは可能である。しかしながら、他の配信方式の情報を取得して再生することはできない。
【０００８】
したがって利用者が、例えば、インターネット上のサッカーの映像または音声ストリームを発見しようとした場合、複数の再生装置を起動して各々の規格のストリーム配信元を検索する必要がある。あるいは、検索サイトと呼ばれるシステムを利用して、「サッカー」というキーワードを用いて順次検索する等の手法をとる必要がある。
【０００９】
一方、デジタル放送では、ＤＶＢ（Digital Video Broadcasting）、ＡＴＳＣ（Advanced Television Systems Committee）が、それぞれＤＶＢ  ＳＩ、ＡＴＳＣ  ＰＳＩＰという名称で、選局並びに番組情報を送信するための規格を定義しており、これらの規格に従った放送であれば、選局並びに番組情報取得に関して、どの放送においても一貫性のある操作で実施することができる。しかしならが、このような仕組みは、インターネット情報ストリーム配信技術には適用されていない。
【００１０】
本発明はこのような点に鑑みてなされたものであり、通信ネットワークを介して配信されるストリームの選局を容易にする情報配信システムを提供することを目的とする。
【００１１】
【課題を解決するための手段】
上記課題を解決するために、通信ネットワークを介して情報データ番組を配信する情報配信システムにおいて、前記情報データ番組を構成する所定の情報データに任意の仕様のストリーミング技術を施して生成されたストリームを記憶するストリーム記憶手段と、前記ストリームの送出を制御するストリーム送出制御手段と、前記情報データ番組並びに前記情報データ番組のストリームに関するストリーム情報であって、前記通信ネットワークを介して接続する他の情報配信サーバの存在を示すネットワーク情報及び前記ストリーム記憶手段に記憶されているストリーム群から構成されるストリーム番組の情報を含む前記ストリーム情報を記憶するストリーム情報記憶手段と、前記ストリーム情報の送出を制御するストリーム情報送出制御手段と、を備えた情報配信サーバと、必要に応じて前記情報配信サーバから前記ストリーム情報を取得して当該ストリーム情報に含まれる前記ネットワーク情報に基づいて前記他の情報配信サーバから他のストリーム情報を取得するストリーム情報取得手段と、取得した前記ストリーム情報及び前記他のストリーム情報を保存するとともに、必要に応じて前記ストリーム情報及び前記他のストリーム情報の内容を利用者に提示するストリーム情報処理手段と、前記ストリームを取得するストリーム取得手段と、取得した前記ストリームを再生するストリーム再生手段と、を備えた受信装置と、を有することを特徴とする情報配信システムが提供される。
【００１２】
また、上記課題を解決するために、通信ネットワークを介して情報データ番組を配信する情報配信システムの情報配信サーバにおいて、前記情報データ番組を構成する所定の情報データに任意の仕様のストリーミング技術を施して生成されたストリームを記憶するストリーム記憶手段と、前記ストリームの送出を制御するストリーム送出制御手段と、前記情報データ番組並びに前記情報データ番組のストリームに関するストリーム情報であって、前記通信ネットワークを介して接続する他の情報配信サーバの存在を示し、受信装置により前記他の情報配信サーバから他のストリーム情報を取得するために用いられるネットワーク情報及び前記ストリーム記憶手段に記憶されているストリーム群から構成されるストリーム番組の情報を含む前記ストリーム情報を記憶するストリーム情報記憶手段と、前記ストリーム情報の送出を制御するストリーム情報送出制御手段と、を有することを特徴とする情報配信サーバが提供される。
【００１３】
また、上記課題を解決するために、通信ネットワークを介して情報データ番組を配信する情報配信システムの受信装置において、必要に応じて、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び自装置に記憶されているストリーム群から構成されるストリーム番組の情報を含む前記ストリーム情報と、を有する情報配信サーバから前記ストリーム情報を取得して当該ストリーム情報に含まれる前記ネットワーク情報に基づいて前記他の情報配信サーバから他のストリーム情報を取得するストリーム情報取得手段と、取得した前記ストリーム情報及び前記他のストリーム情報を保存するとともに、必要に応じて前記ストリーム情報及び前記他のストリーム情報の内容を利用者に提示するストリーム情報処理手段と、前記ストリームを取得するストリーム取得手段と、取得した前記ストリームを再生するストリーム再生手段と、を備えたことを特徴とする受信装置が提供される。
【００１４】
また、上記課題を解決するために、通信ネットワークを介して情報データ番組を配信する情報配信方法において、情報データを再生する受信装置からの要求に応じて前記情報データを配信する情報配信サーバが、予め、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び前記情報配信サーバに記憶されているストリーム群から構成されるストリーム番組の情報を含む前記ストリーム情報と、を記憶し、必要に応じて前記受信装置が前記ストリーム情報を要求し、前記情報配信サーバが前記要求に応じて前記ストリーム情報を配信し、前記受信装置が前記ストリーム情報を取得して当該ストリーム情報に含まれる前記ネットワーク情報に基づいて前記他の情報配信サーバから他のストリーム情報を取得し、取得した前記ストリーム情報及び前記他のストリーム情報を保存するとともに、必要に応じて前記ストリーム情報及び前記他のストリーム情報の内容を利用者に提示し、前記受信装置が前記利用者の所望するストリームを前記所望のストリームを保有する情報配信サーバに対して要求し、前記情報配信サーバが前記要求に応じて前記所望のストリームを配信し、前記受信装置が前記所望のストリームを取得し、これを再生して前記利用者に提供する手順を有することを特徴とする情報配信方法が提供される。
【００１５】
また、上記課題を解決するために、通信ネットワークを介して情報データ番組を配信する情報配信システムの受信装置が前記情報データ番組に関する番組情報を利用者に提示する番組情報処理方法において、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び自装置に記憶されているストリーム群から構成されるストリーム番組の情報を含む前記ストリーム情報と、を有する情報配信サーバから、必要に応じて前記ストリーム情報を取得して当該ストリーム情報に含まれる前記ネットワーク情報に基づいて前記他の情報配信サーバから他のストリーム情報を取得し、取得した前記ストリーム情報及び前記他のストリーム情報を保存するとともに、必要に応じて前記ストリーム情報及び前記他のストリーム情報の内容を前記利用者に提示する手順を有することを特徴とする番組情報処理方法が提供される。
【００１６】
また、上記課題を解決するために、通信ネットワークを介して情報データ番組を配信する情報配信システムの受信装置が前記情報データ番組に関する番組情報を利用者に提示する番組情報処理をコンピュータに実行させるためのプログラムにおいて、コンピュータに、前記情報データ番組を構成する所定の情報データに任意の仕様のストリーミング技術を施して生成されたストリームと、前記情報データ番組並びに前記情報データ番組のストリームに関するストリーム情報であって、前記通信ネットワークを介して接続する他の情報配信サーバの存在を示すネットワーク情報及び自装置に記憶されているストリーム群から構成されるストリーム番組の情報を含む前記ストリーム情報と、を有する情報配信サーバから、必要に応じて前記ストリーム情報を取得して当該ストリーム情報に含まれる前記ネットワーク情報に基づいて前記他の情報配信サーバから他のストリーム情報を取得し、取得した前記ストリーム情報及び前記他のストリーム情報を保存するとともに、必要に応じて前記ストリーム情報及び前記他のストリーム情報の内容を前記利用者に提示する手順を実行させるためのプログラムが提供される。
【００１７】
【発明の実施の形態】
以下、本発明の実施の形態を図面を参照して説明する。図１は、本発明の一実施の形態である情報配信システムの構成図である。
【００１８】
本発明に係る情報配信システムは、情報データ、特にストリームを配信する情報配信サーバであるストリーム配信サーバ１００、及び配信されるストリームを受信して再生する受信装置２００ａ、２００ｂ、２００ｃから構成され、ストリーム配信サーバ１００と受信装置２００ａ、２００ｂ、２００ｃ間は、通信ネットワーク３００によって接続している。図では、ストリーム配信サーバ１００を１台としたが、実際には通信ネットワーク３００を介して複数台のストリーム配信サーバが接続している。
【００１９】
ストリーム配信サーバ１００は、映像並びに音声データとから構成される情報データをストリーム配信技術により配信する情報配信サーバである。ストリーム配信サーバ１００には、情報データ番組を構成するストリームと、情報データ番組とその番組のストリームとに関するストリーム情報と、が記憶されており、受信装置２００ａ、２００ｂ、２００ｃからの要求に応じて、ストリームまたはストリーム情報を通信ネットワーク３００経由で配信する。
【００２０】
受信装置２００ａ、２００ｂ、２００ｃは、通信ネットワーク３００を介してストリーム配信サーバ１００に対して、ストリーム情報あるいはストリームを要求し、これを取得する。取得したストリーム情報は、表示装置に表示する等して利用者に提示する。ストリームは、ストリーム情報に基づき再生する。
【００２１】
通信ネットワーク３００は、専用線あるいはインターネット等の通信回線であり、任意のストリーム配信サーバと受信装置との間のデータ転送を行なう伝送路である。
【００２２】
次に、本発明に係る情報配信システムを構成するストリーム配信サーバ１００と受信装置２００ａ、２００ｂ、２００ｃとについて、詳細に説明する。
まず、本発明に係る情報配信サーバについて説明する。図２は、本発明の一実施の形態である情報配信サーバの構成図である。図１と同じものには同じ番号を付し、説明は省略する。
【００２３】
本発明に係る情報配信サーバであるストリーム配信サーバ１００は、装置全体を制御するサーバ制御部１１０、ストリーム情報送出制御手段であるストリーム情報送出制御装置１２０、ストリーム情報記憶手段であるストリーム情報記憶装置１３０、ストリーム情報を送出するストリーム情報送出装置１４０、ストリーム送出制御手段であるストリーム送出制御装置１５０、ストリーム記憶手段であるストリーム保存装置１６０、及びストリームを送出するストリーム送出装置１７０から構成される。
【００２４】
サーバ制御部１１０は、ストリーム配信サーバ１００の全体の動作を管理するとともに、ストリーム配信サーバ１００の入力装置（図示せず）と出力装置（図示せず）の制御を行なう。
【００２５】
ストリーム情報送出制御装置１２０は、受信装置２００より送信されるストリーム情報の要求を受信し、その要求に合致したストリーム情報をストリーム情報記憶装置１３０から検索する。ここで、ストリーム情報の要求の形式は、ストリーム配信サーバ１００の種類によらず、共通であるとする。ストリーム抽出したストリーム情報は、ストリーム情報送出装置１４０から送出される。ストリーム情報は、ストリーム配信サーバ１００の保有するストリーム番組の選局用、並びに番組内容伝達用情報であり、ストリーム番組の一覧、及びそれぞれのストリーム番組の技術的詳細情報等から構成される。ストリーム情報の詳細については、後述する。ストリーム情報記憶装置１３０は、ストリーム情報を記憶する。ストリーム情報の形式は、ストリーム配信サーバ１００と共通であり、データは予め決められた規定の場所に保存される。ストリーム情報送出装置１４０は、通信ネットワーク３００を介してストリーム情報を受信装置２００に送信する。
【００２６】
ストリーム送出制御装置１５０は、受信装置２００より送信される利用者が選択した番組の送出要求を受信し、その要求に合致するストリームをストリーム保存装置１６０より検索する。抽出したストリームは、ストリーム送出装置１７０及び通信ネットワーク３００を介して受信装置２００へ送出する。ストリーム保存装置１６０は、ストリームを保存する。ストリーム保存装置１６０に保存されたストリームの形式は、どのような形式であってもよい。ストリーム送出装置１７０は、通信ネットワーク３００を介してストリームを受信装置２００に送信する。
【００２７】
このような構成のストリーム配信サーバ１００の動作について説明する。ストリーム配信サーバ１００は、サーバ制御部１１０の管理下でストリーム及びストリーム情報の配信サービスを行なう。ストリーム保存装置１６０には、情報データ番組を構成する所定の情報データが任意の形式のストリームとして保存されている。また、ストリーム情報記憶装置１３０には、情報データ番組に関する情報と、番組を構成する各ストリームに関する情報と、から構成されるストリーム情報等が記憶されている。受信装置２００からストリーム情報の要求が発せられると、ストリーム情報送出制御装置１２０は、この要求を受信し、ストリーム情報記憶装置１３０から該当するストリーム情報を抽出して、ストリーム情報送出装置１４０経由で受信装置２００へ送信する。また、受信装置２００からストリームの要求が発せられると、ストリーム送出制御装置１５０は、この要求を受信し、ストリーム保存装置１６０から該当するストリームを抽出して、ストリーム送出装置１７０経由で受信装置２００へ送信する。
【００２８】
このように、ストリーム配信サーバ１００に、番組を構成する映像並びに音声ストリームとともに、番組の選局用及び番組内容を伝達する番組内容伝達情報であるストリーム情報が用意されている。また、ストリーム情報は、どのストリーム配信サーバ１００においても、共通の形式で、かつ予め決められた規定の場所に保存されており、受信装置２００は、ストリーム配信サーバ１００の種類によらず、一定の情報を取得できる。
【００２９】
次に、本発明に係る受信装置について説明する。図３は、本発明の一実施の形態である受信装置の構成図である。図１、図２と同じものには同じ番号を付し、説明は省略する。
【００３０】
本発明に係る受信装置２００は、ストリーム情報取得手段であるストリーム情報取得部２１０、ストリーム情報処理手段であるストリーム情報処理部２２０、出力信号を制御する出力制御部２３０、ストリーム取得手段であるストリーム取得部２４０、ストリーム再生手段であるストリーム再生部２５０、表示を行なう表示装置２６０、音声出力を行なう音声出力装置２７０、及び利用者の指示を入力する入力装置２８０から構成される。
【００３１】
ストリーム情報取得部２１０は、入力装置２８０経由で入力する利用者からのストリーム情報要求に応じて、ストリーム配信サーバ１００に対してストリーム情報の要求を送信し、応答として所望のストリーム情報を取得する。取得したストリーム情報は、ストリーム情報処理部２２０へ送る。ストリーム情報処理部２２０は、取得したストリーム情報を内部に保存するとともに、ストリーム情報に基づき、番組一覧や番組の技術的詳細情報等を出力制御部２３０経由で、出力する。出力制御部２３０は、ストリーム情報処理部２２０及びストリーム再生部２５０からの出力信号に応じて、表示装置２６０へ表示信号を、音声出力装置２７０に音声出力信号を供給し、映像及び音声出力の制御を行なう。
【００３２】
ストリーム取得部２４０は、入力装置２８０経由で入力する利用者からのストリーム選局に応じて、該当するストリームを保有するストリーム配信サーバ１００に対してストリームの要求を送信し、応答として所望のストリームを取得する。取得したストリームは、ストリーム再生部２５０へ送る。ストリーム再生部２５０は、ストリームの種別にあったストリーム復元処理を行ない、再生されたストリームを出力制御部２３０経由で出力する。
【００３３】
表示装置２６０は、出力制御部２３０に従って、ストリーム情報の内容あるいは、再生されたストリーム番組を表示する。音声出力装置２７０は、出力制御部２３０に従って、音声を出力する。入力装置２８０は、受信装置２００を構成する各部に利用者の指示を伝達する。
【００３４】
このような構成の受信装置の動作について説明する。入力装置２８０によって利用者より発せられるストリーム配信サーバ１００の選択指示がストリーム情報取得部２１０に伝えられる。ストリーム情報取得部２１０は、ストリーム配信サーバ１００よりストリーム情報を取得し、ストリーム情報処理部２２０へ送る。ストリーム情報処理部２２０は、取得したストリーム情報の内容、例えば、番組の一覧を出力制御部２３０経由で表示装置２６０へ出力し、利用者に提示する。利用者は、これを参照し、入力装置２８０により視聴番組の選局を行なう。ストリーム取得部２４０は、選局に従って、該当ストリームを保有するストリーム配信サーバ１００からストリームを取得し、ストリーム再生部２５０へ送る。ストリーム再生部２５０は、ストリームの種別に合ったストリーム復元処理を行なう。復元されたストリームは、出力制御部２３０を経て、表示装置２６０及び音声出力装置２７０へ出力される。
【００３５】
次に、このような構成の情報配信システムにおける情報配信方法について説明する。
ストリーム配信サーバ１００には、予め、ストリームとストリーム情報とが保存されている。ストリーム情報は、ストリーム配信サーバ１００が保有するストリームにより構成される番組の一覧情報と、このストリーム番組を構成する各ストリームの情報データの種別とストリーミング形式を含むストリームの技術的詳細情報と、通信ネットワーク３００を介して接続する他の情報配信サーバに関するネットワーク情報とから構成される。
【００３６】
受信装置２００は、通信ネットワーク３００を介して、利用者が指定したストリーム配信サーバ１００に対してストリーム情報の要求を行ない、ストリーム情報を取得する。取得したストリーム情報に基づき、番組の一覧や、番組の内容の詳細等を表示装置２６０や音声出力装置２７０を介して提示する。利用者は、提示された番組情報等に基づき、視聴したいストリームを選択し、入力装置２８０を介して受信装置２００に指示する。受信装置２００は、利用者の所望するストリームを、このストリームを保有するストリーム配信サーバ１００に対して要求し、該当するストリームを取得する。取得したストリームは、ストリームの技術的詳細情報に基づき、合致した形式で復元処理を行ない、出力制御部２３０を介して、表示装置２６０や音声出力装置２７０で再生される。
【００３７】
次に、ストリーム情報の詳細及び、受信装置２００におけるストリーム情報に基づく番組情報処理方法について説明する。
まず、仕様の異なる複数種類のストリーム及び通信ネットワーク３００上の複数箇所に設置されたストリーム配信サーバ１００を統一的に扱う方法について説明する。
【００３８】
本発明の利用に最適であるインターネット上に配置されたストリーム配信サーバ１００には、ストリーム自体ばかりでなく、そのストリームの内容を説明するための文章（ストリーム情報）が格納されている。これらは、通常、コンピュータのディスク上にファイルとして保存されている。一般に、ファイルは、ファイルシステム上のまったく異なる位置に配置されており、かつ、ファイル名称も統一性がない。このため、利用者がサーバ上のファイルを利用する場合、どのファイルを利用するかを明示的に指示する必要がある。本発明では、ストリーム情報ファイルに共通の名前を付けるとともにその書式を定義し、利用者が明示的に動作指示を行なわなくても、受信装置２００が自動的にストリーム配信サーバ１００より必要なストリーム情報ファイルを入手し、かつその内容を理解することを可能にする。
【００３９】
具体例で説明する。図４は、本発明の一実施の形態である情報配信システムのストリーム情報ファイル構成である。ここでは、別個のストリーム配信サーバのストリーム情報記憶装置１３０ａ、１３０ｂにストリーム情報が格納されているとする。
【００４０】
本発明では、それぞれのストリーム配信サーバのストリーム情報記憶装置１３０ａ、１３０ｂにおいて、ファイルを格納するディレクトリの最上位のディレクトリにプログラムアソシエーションテーブル２０ａ、２０ｂ、プログラムマップテーブル２１ａ、２１ｂ、ネットワーク情報テーブル２２ａ、２２ｂと呼ぶファイルをそれぞれ用意する。
【００４１】
プログラムアソシエーションテーブル２０ａ、２０ｂ（以下、まとめて２０とする）には、ストリーム配信サーバ１００内に格納されるストリーム番組の一覧が記述されている。プログラムマップテーブル２１ａ、２１ｂ（以下、まとめて２１とする）は、プログラムアソシエーションテーブル２０に記述された番組数だけ用意され、番組のストリームの技術的詳細が記述される。技術的詳細には、例えば、ファイル名３３ａ、３３ｂ、圧縮方法記述子３４ａ、３４ｂ、言語記述子３５ａ、３５ｂ等の情報である。ネットワーク情報テーブル２２ａ、２２ｂ（以下、まとめて２２とする）は、自装置以外のストリーム配信サーバの存在が記述されている。
【００４２】
それぞれのファイルについて説明する。
プログラムアソシエーションテーブル２０には、ストリーム番組の一覧が記述されている。図５は、プログラムアソシエーションテーブルの一例である。ここでは、プログラムアソシエーションテーブル２０のファイル名称をｐａｔ．ｈｔｍｌとする。
【００４３】
プログラムアソシエーションテーブル２０内に、各ストリームのストリーム識別番号３１と、このストリームの詳細仕様を記述したプログラムマップテーブル２１のファイル名３２とを一対として、全てのストリームに関するこの一対を順番に記述する。ここで、ストリーム識別番号３１は、例えばテレビ放送のチャンネル番号と同等の働きをするものである。
【００４４】
受信装置２００は、利用者の指示により、あるストリーム配信サーバ１００に接続した後、自動的に直ちにこのプログラムアソシエーションテーブル２０を取得する。これによって受信装置２００は、このストリーム配信サーバ１００内にいくつのストリームが用意され、また、それらはチャンネル番号が何番であるかを直ちに解析することができる。さらに、各々のストリームの詳細を知るためには、次にどのプログラムマップテーブル２１を取得すればよいかを知ることができる。また、ストリーム配信サーバ１００内におけるプログラムアソシエーションテーブル２０のファイルシステム上の存在位置並びにファイル名称は、全てのストリーム配信サーバで同一とする。これにより受信装置２００は、利用者の指示がなくても自動的にプログラムアソシエーションテーブル２０を取得することができる。また、受信装置２００は、プログラムアソシエーションテーブル２０を取得することで、ストリーム配信サーバ１００内にあるストリーム番組の一覧表を形成し、利用者に表示することが可能である。
【００４５】
プログラムマップテーブル２１には、ストリーム番組の技術的詳細が記述されている。図６は、プログラムマップテーブルの一例である。ここでは、プログラムマップテーブル２１のファイル名称をｐｍｔ１０１．ｈｔｍｌとする。これは、ストリーム識別番号が１０１ｃｈのストリームの詳細情報である。
【００４６】
プログラムマップテーブル２１に記述される技術的詳細とは、該当するストリームのファイル名とそのファイルのフィルシステム上の存在位置、ストリームが映像か、音声のみか、あるいはその他の情報であるかの種別、ストリームの圧縮形式がどの形式であるかの種別、ストリームが無料であるか有料であるかといった項目等である。これらの項目情報は、記述子を用いて区別する。記述子とは、予め定義された番号群、あるいは記号群である。例えば、ストリームの種別を示す記述子を記載する行には、ＦＩＬＥという文字列を定義し、映像ストリームには１という番号を与え、音声ストリームには２番、コンパイル済みオブジェクトまたは単独実行可能なプログラムであれば３番、特定のソフトウエアで読み出すことが可能なデータ列であれば４番という番号を与えるとする。
【００４７】
また、ストリーム圧縮方式記述子の記述子をＴＹＰＥとして、ＴＹＰＥという文字列で始まる行には、ストリーム圧縮形式の種別を示す番号を記載するものとする。例えば、Ａ社のストリーム圧縮形式なら１番、Ｂ社の方式なら２番、Ｃ社の方式は３番を記述子別リスト内に定義しておく。本発明の利用に最適であるインターネット上のストリームの圧縮形式には複数の種類があり、その圧縮形式の違いに応じて再生に必要となるプログラムもそれぞれ異なる。本発明のプログラムマップテーブル２１内にこの圧縮形式を示すための記述子を入れておくことによって、受信装置２００は自動的にストリームが自装置で再生可能であるかどうかの判断が可能となる。可能であればそのまま処理を継続し、不能であれば、それを利用者に通知することができる。
【００４８】
さらに、限定受信記述子を記述子ＦＥＥとして、Ｘ社の料金支払いシステムが利用できる場合には１番、Ｙ社の料金支払いシステムが利用できる場合には２番という番号を入れると定義する。記述子ＬＡＮＧは、ストリームの音声の言語コードをいれる言語記述子とする。
【００４９】
図の例であれば、利用者が選択したストリーム番組は、ファイル名は／ｓｔｒｅａｍ／１０１．ａｖｉ、映像ストリームで、圧縮形式はＣ社方式で、課金方式はなし、すなわち無料で、音声は日本語であるということがわかる。
【００５０】
受信装置２００は、利用者が指示したストリームを自動的に取得するため、利用者が入力装置２８０より入力したストリームチャンネル番号をプログラムアソシエーションテーブル２０内より探し出し、該当するストリームのプログラムマップテーブル２１を自動的に取得する。次に、該当ストリーム番組のファイル名並びにその存在場所をプログラムマップテーブル２１より読み出してストリームを取得するとともに、ストリーム圧縮形式記述子内にある番号を見て、適切な伸張プログラムを自動的に起動する。また、該当ストリームが映像番組であり、無料で日本語番組であるということを利用者に提示できる。
【００５１】
ネットワーク情報テーブル２２には、他のストリーム配信サーバの存在が記述されている。図７は、ネットワーク情報テーブルの一例である。
本発明の利用に最適であるインターネット上のストリーム配信サーバであれば、ネットワーク情報テーブル２２には、他のストリーム配信サーバの所在をＵＲＬ形式で記述する。
【００５２】
ネットワーク情報テーブル２２のファイル名並びにその存在場所を規定しておくことによって、受信装置２００は利用者からの指示がなくても、該当するストリーム配信サーバ以外のストリーム配信サーバ（以下、外部サーバとする）を発見することが可能である。また、この外部サーバのプログラムアソシエーションテーブル２０及びプログラムマップテーブル２１を自動的に取得することによって、次々に外部サーバの番組一覧を利用者に提示することができる。この過程を繰り返すことによって、受信装置２００は次々と番組一覧を拡張していくことが可能になる。
【００５３】
次に、このような構成のストリーム情報を取得し、ストリーム情報に基づく番組情報を利用者に提示する受信装置の番組情報処理方法について説明する。図８は、本発明の一実施の形態である番組情報処理方法のフローチャートである。
【００５４】
受信装置の処理が開始され（Ｓ０１）、利用者によるストリーム配信サーバの指定をチェックし（Ｓ０２）、ストリーム配信サーバの指定が行なわれるまで待つ。ストリーム配信サーバが指定されると、指定されたストリーム配信サーバよりプログラムアソシエーションテーブルを取得する（Ｓ０３）。取得したプログラムアソシエーションテーブルに基づいて、番組情報をユーザに提示する。続いて、利用者による取得するストリームの指定をチェックし（Ｓ０４）、指定が行なわれるまで待つ。ストリームが指定されると、該当するストリームのプログラムマップテーブルを取得する（Ｓ０５）。取得したプログラムマップテーブルに基づき再生可能なストリームかどうかをチェックする（Ｓ０６）。再生可能なストリームであれば、再生可能な圧縮形式であるかどうかをチェックする（Ｓ０７）。再生可能な圧縮形式であれば、ストリームを再生し（Ｓ０８）、処理を終了する（Ｓ１１）。再生不可能なストリームであれば、該当するストリームを操作可能な装置に制御を移行し（Ｓ０９）、処理を終了する（Ｓ１１）。再生不可能な圧縮形式であれば、該当するストリームを再生可能な装置が必要であることを利用者に通知し（Ｓ１０）、処理を終了する（Ｓ１１）。
【００５５】
次に、本発明の特徴であるストリーム情報のうちストリーム番組の内容を提示するための機能について説明する。ストリーム配信サーバ１００上に、さらに、番組の内容を紹介する番組紹介情報として、イベント情報テーブル（ＥＩＴ）、サービス記述テーブル（ＳＤＴ）を配置する。これらは、例えば本発明の利用に最適であるインターネット上のストリーム配信サーバ１００においては、ファイルを格納するディレクトリの最上位のディレクトリに配置し、受信装置２００が自動的に取得する。
【００５６】
図９は、イベント情報テーブルの一例である。イベント情報テーブル４１は、主にストリーム配信サーバ１００内にある各ストリームのタイトル及び概要を保存し、受信装置２００に提示するためのテーブルである。ストリーム配信サーバ１００のストリームがテレビジョン放送のように時間毎に異なるコンテンツが流されるものであれば、イベント情報テーブル４１は、ストリームファイル毎に１つの規則的名前を持つファイルとなる。ファイルの先頭行のＴＩＭＥ：で示されるのは、このファイル内の時刻の標準時と国際標準時との差分である。第２行では、このイベント情報テーブル４１の内容の日付が提示されている。第３行目のＬＡＮＧ：では、このイベント情報テーブル４１内で使用されている言語が示されている。以下、番組の時刻とその題名並びに内容、大ジャンル、小ジャンルがファイルの終端まで列挙される。ストリーム内容が時間によって変更されない場合は、番組内容の行は１行のみとなる。なお、ストリーム配信サーバ１００内にはいくつかのストリームがあり、それらのチャンネル番号（固定ストリームの場合はファイル番号に該当）がいくつであるかは、プログラムアソシエーションテーブル２０より読み取ることができる。また、ストリーム配信サーバ１００内に複数のイベント情報テーブル４１のファイルがある場合でも、チャンネル番号とファイル名が関連付けられているため、自動的に識別することが可能である。
【００５７】
受信装置２００は、このイベント情報テーブル４１から所望のストリームの番組内容を取得し、表示装置２６０または音声出力装置２７０を介して利用者に提示することができる。受信装置２００は、現在利用者が視聴しているストリームの内容情報だけでなく、このストリーム配信サーバ１００内にある他のストリームの番組紹介情報も取得できる。さらに、本発明に係るネットワーク情報テーブル２２を用いれば、このストリーム配信サーバ１００以外のストリーム配信サーバにあるストリームの内容も取得し、提示することが可能になる。またこのとき、利用者が予め入力装置２８０によって入力した好きな番組のジャンル等の情報を登録しておけば、ストリーム情報処理部２２０は、登録情報に基づき、利用者に提示する画面の構成を変更することが可能である。
【００５８】
次に、サービス記述テーブル４２について説明する。図１０は、サービス記述テーブルの一例である。サービス記述テーブル４２は、ストリームの属するチャンネルの属性を通知するためのデータである。サービス記述テーブル４２には、サービス記述テーブル４２で使用している言語、チャンネルの名称、及び内容が保持されている。サービス記述テーブル４２のファイル名もイベント情報テーブル４１のファイル名と同様にチャンネル番号を用いてサーバ内で一意に決まるように定義が可能であるため、受信装置２００は識別が可能である。
【００５９】
受信装置２００は、サービス記述テーブル４２からストリームチャンネルの名称を取得し、利用者に提示することができる。図１１は、受信装置が利用者に提示する番組表の一例である。ここでは、プログラムアソシエーションテーブル２０、プログラムマップテーブル２１、ネットワーク情報テーブル２２、イベント情報テーブル４１、サービス記述テーブル４２を用いて作成できる番組表が示されている。
【００６０】
このように、ストリーム配信サーバ１００に用意されたストリーム情報を取得することにより、現在利用者が接続しているストリーム配信サーバ１００のストリームの番組一覧表５０が作成できるだけでなく、利用者が現在直接アクセスしていないサーバの情報５１も一元表示が可能になる。ストリームのチャンネル名称５２、ストリームのチャンネル紹介５３はともに、サービス記述テーブル４２より取得することができる。また、番組表５４は、イベント情報テーブル４１より取得できる情報を元に作成される。
【００６１】
このように、本発明によれは、受信装置２００は、通信ネットワーク３００上に存在するストリーム配信サーバ１００が保有する番組の個数、各々のストリームの長さ、番組内容、配信されるストリームが時間によって変化する場合、あるいは特定の時間のみに送出される場合はその時刻を、一定の動作でストリーム配信サーバ１００から取得し、取得したストリーム情報を受信装置２００に接続された出力装置によって、利用者に提示することができる。このように、ストリーム配信サーバ１００の種類によらず簡単な共通の操作で、番組の選局用あるいは、番組内容伝達用の情報が表示されるので、利用者の番組の選局が容易に行なえるようになる。
【００６２】
また、ストリーム配信サーバ１００より、ネットワーク情報を取得すれば、受信装置２００が直接参照していないストリーム配信サーバ１００の番組内容等も容易に取得することができる。
【００６３】
さらに、受信装置２００は、キーワード等を用いて番組表５４を処理することにより、利用者の嗜好に合わせた番組一覧表５０を作成して提示することができる。その結果、利用者にとって必要な情報のみが提示されることになり、利用者による受信装置２００の操作がさらに容易になる。
【００６４】
一方、ストリーム配信サーバ１００の管理においても、サーバ内のストリームに関するあらゆる情報の書式が決まることによって、ファイル作成並びにファイル管理が容易になり、この結果、ストリーム配信サーバ１００自体の管理も容易になる。
【００６５】
なお、上記の処理機能は、コンピュータによって実現することができる。その場合、情報配信システムが有すべき機能の処理内容は、コンピュータで読み取り可能な記録媒体に記録されたプログラムに記述しておく。そして、このプログラムをコンピュータで実行することにより、上記処理がコンピュータで実現される。コンピュータで読み取り可能な記録媒体としては、磁気記録装置や半導体メモリ等がある。市場に流通させる場合には、ＣＤ−ＲＯＭ(Compact Disc Read Only Memory)やフレキシブルディスク等の可搬型記録媒体にプログラムを格納して流通させたり、ネットワークを介して接続されたコンピュータの記憶装置に格納しておき、ネットワークを通じて他のコンピュータに転送することもできる。コンピュータで実行する際には、コンピュータ内のハードディスク装置等にプログラムを格納しておき、メインメモリにロードして実行する。
【００６６】
【発明の効果】
以上説明したように本発明の情報配信システムでは、情報配信サーバは、情報データ番組を構成する任意の仕様で生成されたストリームと、番組並びに番組のストリームに関するストリーム情報と、を記憶している。ストリーム情報及びストリームは、受信装置からの要求に応じて配信される。受信装置は、情報配信サーバからストリーム情報を取得し、その内容を利用者に提示する。ストリーム情報を参照した利用者の要求に応じて情報配信サーバからストリームを取得し、取得したストリームの再生を行なう。
【００６７】
このように、情報配信サーバには、ストリームとともにストリーム情報が記憶されており、受信装置は、必要に応じてストリーム情報を取得し、これを利用者に提示することができる。このため、ストリーム情報に基づいて、利用者の好みの番組や、再生可能な番組等を容易に選択することが可能になる。
【００６８】
また、本発明の情報配信サーバでは、情報データ番組を構成する任意の仕様に基づくストリームと、番組並びに番組のストリームに関するストリーム情報と、を記憶している。利用者からの要求に応じて、ストリーム情報及びストリームを利用者の受信装置に配信する。
【００６９】
このように、情報配信サーバは、ストリームとともにストリームに関するストリーム情報を記憶しており、受信装置からの要求に応じて、ストリーム情報を配信する。このため、受信装置において、利用者の好みの番組や、再生可能な番組等を容易に選択することが可能になる。
【００７０】
また、本発明の受信装置では、情報配信サーバから情報データ番組と番組のストリームに関するストリーム情報を取得し、必要に応じて、ストリーム情報の内容を利用者に提示する。ストリーム情報を参照した利用者からの要求に応じて、ストリームを取得して再生する。
【００７１】
このように、受信装置は、ストリームに関するストリーム情報を取得し、これをユーザに提示することができるため、利用者は、再生可能な好みの番組等を容易に選択することが可能になる。
【００７２】
また、本発明の情報配信方法では、情報配信サーバに、予め、情報データ番組を構成するストリームと、番組並びにストリームに関するストリーム情報とが保存されている。受信装置は、情報配信サーバにストリーム情報を要求し、配信されたストリーム情報を保存するとともに、必要に応じてストリーム情報の内容を利用者に提示する。また、ストリーム情報を参照した利用者からの要求に応じて、利用者の所望するストリームを取得し、これを再生して利用者に提供する。
【００７３】
このように、情報配信サーバには、ストリームとともにストリーム情報が保存されており、受信装置は、必要に応じてストリーム情報を取得し、これを利用者に提示することができる。このため、ストリーム情報に基づいて、利用者の好みの番組を容易に選択することが可能になる。
【００７４】
また、本発明の番組情報処理方法では、情報データ番組を構成するストリームと、情報データ番組とそのストリームとに関するストリーム情報と、を有する情報配信サーバからストリーム情報を取得し、その内容を利用者に提示する。
【００７５】
このように、受信装置は、ストリームに関するストリーム情報を取得し、これをユーザに提示することができるため、利用者は再生可能な好みの番組等を容易に選択することが可能になる。
【図面の簡単な説明】
【図１】  本発明の一実施の形態である情報配信システムの構成図である。
【図２】  本発明の一実施の形態である情報配信サーバの構成図である。
【図３】  本発明の一実施の形態である受信装置の構成図である。
【図４】  本発明の一実施の形態である情報配信システムのストリーム情報ファイル構成である。
【図５】  プログラムアソシエーションテーブルの一例である。
【図６】  プログラムマップテーブルの一例である。
【図７】  ネットワーク情報テーブルの一例である。
【図８】  本発明の一実施の形態である番組情報処理方法のフローチャートである。
【図９】  イベント情報テーブルの一例である。
【図１０】サービス記述テーブルの一例である。
【図１１】  受信装置が利用者に提示する番組表の一例である。
【符号の説明】
１００・・・ストリーム配信サーバ、１１０・・・サーバ制御部、１２０・・・ストリーム情報送出制御装置、１３０・・・ストリーム情報記憶装置、１４０・・・ストリーム情報送出装置、１５０・・・ストリーム送出制御装置、１６０・・・ストリーム保存装置、１７０・・・ストリーム送出装置、２００、２００ａ、２００ｂ、２００ｃ・・・受信装置、２１０・・・ストリーム情報取得部、２２０・・・ストリーム情報処理部、２３０・・・出力制御部、２４０・・・ストリーム取得部、２５０・・・ストリーム再生部、２６０・・・表示装置、２７０・・・音声出力装置、２８０・・・入力装置、３００・・・通信ネットワーク
【図１】
0004644951.tif 000002
【図２】
0004644951.tif 000003
【図３】
0004644951.tif 000004
【図４】
0004644951.tif 000005
【図５】
0004644951.tif 000006
【図６】
0004644951.tif 000007
【図７】
0004644951.tif 000008
【図８】
0004644951.tif 000009
【図９】
0004644951.tif 000010
【図１０】
0004644951.tif 000011
【図１１】
0004644951.tif 000012